Podtech/llm-jp-corpus-v4-ja_patent huggingface dataset:
(57)【要約】【課題】ゴミ袋収納用ネットを広げる時は繋がれた紐を解かなければならず、ネット収納時はネットを丸めて又紐で結び両手を必要としたが、本発明は片手でできる定期搬出ゴミ袋収納用ネット留め具を提供する。【解決手段】（イ）半円筒状の筒開口部の両対には横長板が設けられ、両対の横長板の両端には一個ずつの穴が開いている。（ロ）半円筒状の筒頭部中央に突起が設けられ、突起には紐留め穴、紐留め溝、ストッパー、紐巻き付け部が設けられている。（ハ）ネット端上下一列に複数のリングが設置されている。【選択図】図４
2017141109.tif 000002
【特許請求の範囲】
【請求項１】
ガードレール取付け部（８）にはガードレール平行上部（１６）を保持するための円弧状ホール部（７）があり、ガードレール取付け部（８）の開口部（９）にはネット固定板（１０）（１１）が設けられ、ネット固定板（１０）にはボルト通し穴（１２）（１４）が開けられネット固定板（１１）にはボルト通し穴（１３）（１５）があけられている。ガードレール取付け部（８）の頭部中央には突起部（１）が設けられ、突起部（１）の頭部中央には紐留め溝（２）が切られ突起部（１）の下部には紐留め穴（５）が開けられて突起部（１）両横にはストッパー（３）（４）が設けられストッパー（３）（４）の下部は紐巻き付け部（６）となっている。
【請求項２】
ネット（２１）には複数のリング（１７）が設置されている、請求項１の定期搬出ゴミ袋収納用ネット留め具。
【発明の詳細な説明】
【技術分野】
【０００１】本発明は歩道上の定期搬出ゴミ袋を収納するネットをガードレールに固定するための留め具に関するものである。
【背景技術】
【０００２】従来、歩道上に於ける定期搬出ゴミ袋等はガードレールに紐で繋ぎ留められたネットに収納されることが多く、ネットを広げる時はネットを繋いでいる紐を解き、ネットを収納する時はネットを丸めて紐で結んでいた。
【発明の概要】
【発明が解決しようとする課題】
【０００３】ネットを丸めてガードレールに紐で結び付けたり解いたりする方法は両手を駆使するので、悪天候の日には操作し難いものであった。
本発明は、以上の問題点を解決するためになされたものである。
【課題を解決するための手段】
【０００４】（イ）半円筒状の筒開口部の両対には横長板が設けられ、両対の横長板の両端には一個ずつの穴が開けられている。
（ロ）半円筒状の筒頭部中央には突起部が設けられ、突起部には紐留め穴、紐留め溝、ストッパー、紐巻き付け部が設けられている。
（ハ）ネット端の上下一列に複数のリングが設置されている。
以上の構成よりなる定期搬出ゴミ袋収納用ネット留め具。
【発明の効果】
【０００５】本発明を使用することによって、紐だけの操作になるので片手で操作でき悪天候でも苦になることはない。
【図面の簡単な説明】
【０００６】
【図１】本発明の前面図
【図２】本発明の側面図
【図３】本発明の斜視図
【図４】本発明の使用図
【図５】本発明の収納図
【発明を実施するための形態】
【０００７】以下、本発明の実施の形態を説明する。
（イ）ガードレール取付け部（８）の開口部（９）はガードレール平行上部（１６）が円弧状ホール部（７）にはめ込まれる範囲に開けられ、開口部（９）の両対には向かい合うようにネット固定板（１０）（１１）が設けられている、ネット固定板（１０）の両端にはボルト通し穴（１２）（１４）が開けられ、ネット固定板（１１）にはボルト通し穴（１３）（１５）が開けられている。
（ロ）ガードレール取付け部（８）の頭部中央にはネット固定板（１０）（１１）に平行に突起部（１）が設けられ、突起部（１）下部には紐留め穴（５）が開けられ突起部（１）の頭部には紐留め溝（２）が切られて突起部（１）の両横にはストッパー（３）（４）が設けられストッパー（３）（４）からガードレール取付け部（８）の頭部の間は紐巻き付け部（６）となっている。
（ハ）ネット（２１）端には上下等間隔に複数のリング（１７）が設置されている。
本発明は以上のような構造である。
本発明を使用する時は、ネット（２１）をガードレール平行上部（１６）に歩道側（２３）と車道側（２４）とに分けて架け、車道側（２４）に架けられたネット（２１）の下部端をネット繋ぎ紐（２２）でガードレール縦足部（１８）に繋ぎ留める、ガードレール平行上部（１６）に被せられたネット（２１）の上からガードレール取付け部（８）を被せて円弧状ホール部（７）に収める、ボルト通し穴（（１２）から（１３）にネット（２１）を挟んでボルトを通しナットで締める、ボルト通し穴（１４）からボルト通し穴（１５）にもネット（２１）を挟んでボルトを通しナットで締める、紐留め穴（５）にネット抑え紐（１９）を通し、引き抜けない様に処置しリング（１７）上部から下部へ通し入れる。
ネット（２１）の収納時はネット抑え紐（１９）の下部を持ち上げリング（１７）を手繰り寄せネット（２１）を収縮させて余ったネット抑え紐（１９）を紐巻き付け部（６）に巻きつけ紐留め溝（２）に挟んで留める、ネット（２１）を広げる時はネット抑え紐（１９）を紐留め溝（２）から外し紐巻き付け部（６）から解き外してネット抑え紐（１９）を放置すれば自動的にネット（２１）は降下して広がりゴミ袋は収納される。
【符号の説明】
【０００８】１突起部、２紐留め溝、３ストッパー、４ストッパー、５紐留め穴、６紐巻き付け部、７円弧状ホール部、８ガードレール取付け部、９開口部、１０ネット固定板、１１ネット固定板、１２ボルト通し穴、１３ボルト通し穴、１４ボルト通し穴、１５ボルト通し穴、１６ガードレール平行上部、１７リング、１８ガードレール縦足部、１９ネット抑え紐、２０ゴミ袋、２１ネット、２２ネット繋ぎ紐、２３歩道側、２４車道側
【図１】
2017141109.tif 000003
【図２】
2017141109.tif 000004
【図３】
2017141109.tif 000005
【図４】
2017141109.tif 000006
【図５】
2017141109.tif 000007
(57)【要約】【課題】従来から、自然エネルギーを利用した発電には、水力・風力・太陽光・海洋発電等があるが、いずれも設置可能場所の範囲に限界があり、自然環境に左右され発電量も一定とは限らない。一方、重力を利用した発電方法には、特開２００８−１３３７９９号公報に開示された技術があるが、この技術は広くは実用化されていない。【解決手段】上記の課題を解決する本発明は、上部に主プーリー及び発電機を定設し、下部にボビン、モータープーリー及び重量物を配設し、上部の主プーリーと下部のボビンを導線を介して連動し、主プーリーと発電機を回転させる構成の重力を主体とした発電装置である。【選択図】    図１
2017141757.tif 000002
【特許請求の範囲】
【請求項１】
上部に主プーリー及び発電機を定設し、下部にはボビン、モータープーリー及び重量物を配設し、上部の主プーリーと下部のボビンを導線を介して連動させると共に、これに連動する発電機を回転させる構成の重力を主体とした発電装置。
【発明の詳細な説明】
【技術分野】
【０００１】
本発明は、重力を主体とした発電装置に関する。
【背景技術】
【０００２】
従来から、自然エネルギーを利用した発電には、水力・風力・太陽光・海洋発電等があるが、いずれも設置可能場所の範囲に限界があり、自然環境に左右され発電量も一定とは限らない。一方、重力を利用した発電方法には、特開２００８−１３３７９９号公報に開示された技術があるが、資本費が高くなるためか、この技術は実用化されていない。
【先行技術文献】
【特許文献】
【０００３】
【特許文献１】特開２００８−１３３７９９号公報
【発明の概要】
【発明が解決しようとする課題】
【０００４】
資本費が高くなく、設置、保守が容易な、自然環境に左右されない発電方法は実用化していない。本発明では、重力を主体とした発電装置の開発を課題とする。
【課題を解決するための手段】
【０００５】
上記した課題を解決する本発明は、上部に主プーリー及び発電機を定設し、ボビン、モータープーリー及び重量物を配設し、上部の主プーリーと下部のボビンを導線を介して連動し、主プーリーと発電機を回転させる構成の重力を主体とした発電装置である。
【発明の効果】
【０００６】
本発明の重力を主体とした発電装置は自然エネルギーだが自然環境に左右されず、一定の電力を得ることができ、資本費が低く、保守が簡単で、設置可能場所の範囲も広いという利点がある。
【図面の簡単な説明】
【０００７】
【図１】本発明の装置全体を示す正面図である。
【図２】本発明の装置全体を示す側面図である。
【発明を実施するための形態】
【実施例】
【０００８】
図１〜図２に本発明の装置を示し、その操作を説明する。
【０００９】
まず図１、図２に示すように、腕部５の一端に固定された支点を設け、両腕部間にはシャフト１０を定設して、シャフト１０の上にモータープーリー９とボビン４を設け、このボビン４と上部の主プーリー１の間を導線３によって回転を伝えると共に、これに連動する発電機２を回転させる構造である。又、重量物７を腕部５上で左右し、移動させて重量物７がシャフト１０に係る重力を加減調整できるように設けた装置である。作動の際は、先ず、モーター８を始動し、モータープーリー９、ボビン４を回転させ、この回転を導線３を介して、上部の主プーリー１と、これに連動する発電機２を回動させるように構成したものである。
【産業上の利用可能性】
【００１０】
本発明は、機械産業に、新たな市場を提供する。また、安価なエネルギーの供給により、種々の産業のコスト削減に寄与することが期待される。
【符号の説明】
【００１１】
１  主プーリー
２  発電機
３  導線
４  ボビン
５  腕部
６  支柱
７  重量物
８  モーター
９  モータープーリー
１０  シャフト
１１  支点
【図１】
2017141757.tif 000003
【図２】
2017141757.tif 000004
(57)【要約】      （修正有）【課題】バッグを持つ時に身体への重量負担を和らげ、着脱が容易な衣服を提供する。【解決手段】バッグの下部にスポンジや綿などの重量緩衝物を内部に入れて枕形状の袋部を取り付け、鎖骨から肩の骨や脊柱の筋骨の部分を保護して身体への負担を少しでも和らげる構造とし、更に、左右両脇の下と衣服の正面中央部の３箇所を切り開いて、その部分を１個又は数個のボタンまたはファスナーやベルトを取り付け着脱を容易にした衣服である。【選択図】図１
2017141537.tif 000002
【特許請求の範囲】
【請求項１】
左右の鎖骨の上部分から肩甲骨と肩関節までの間の部分および背中側の左右肩関節部分と肩甲骨から脊柱までの間の筋骨の部分に対応する衣類の部分に緩衝物を内部に入れた枕形状の袋部を取り付けたことを特徴とするバッグ下部重量緩衝用衣服。
【請求項２】
衣類の左右両脇の下と衣服の正面中央部の３箇所を切り開いて、その部分を１個又は数個のボタンまたはファスナーやベルトを取り付け衣服の着脱を容易にした事を特徴とする請求項１に記載されたバッグ下部重量緩衝用衣服。
【発明の詳細な説明】
【技術分野】
【０００１】本発明はいろいろのバッグを持つ時に身体への重量負担を和らげる為の衣服に関するものである。
【発明の概要】
【発明が解決しようとする課題】
【０００２】近年いろいろのバッグがでまわり身体への負担が増している。
【課題を解決するための手段】
【０００３】いろいろのバッグの下部にスポンジや綿などの重量緩衝物を入れて鎖骨から肩の骨や脊柱の筋骨の部分を保護して身体への負担を少しでも和らげる構造とした。
【発明の効果】
【０００４】バッグを所持着用するときバッグの下部の一部分に緩衝物をいれて着用することで筋骨などへの負担をへらす。
【図面の簡単な説明】
【０００５】
【図１】（１図）本発明の正面図である。
【図２】（２図）本発明の背面図である。
【図３】（３図）本発明の側面図である。
【図４】（４図）本発明の断面後部の図である。
【図５】（５図）本発明の斜視図でバッグを着用する前の半袖シャツの上から着た図である。
【実施例】
【０００６】通常の衣服を着用するように衣服をバッグの下に着用して身体の筋骨部分を保護するように着用する。
【産業上の利用の可能性】
【０００７】営業活動等で重いショルダーバッグを毎日持って仕事をする際に重量のあるバッグを持ち歩くのは非常に身体の部分が疲労するがそれらの負担を少しでも軽減することにより仕事が長続きする等多くのメリットが考えられる。
【符号の説明】
【０００８】１衣服の下部に設けた３箇所のボタン。
２鎖骨と肩の骨と脊柱の上の緩衝物入袋。
３バッグ下部重量緩衝用衣服。
４半袖シャツ。
【図１】
2017141537.tif 000003
【図２】
2017141537.tif 000004
【図３】
2017141537.tif 000005
【図４】
2017141537.tif 000006
【図５】
2017141537.tif 000007
(57)【要約】【課題】   経穴（つぼ）に温熱刺激を加える灸は、そのすぐれた効果が再認識されているが、もぐさの原料となる良質なヨモギの入手が困難になっており、製造コストは上昇傾向にあり、手軽に施灸を行えなくなりつつある。【解決手段】  もみがらを炭化処理した後、粉砕して粉末状にした炭化粉末にバインダーを加えて練り固め、円柱状に成形したもみがら製の炭化粉末成形体を、中央に透孔を有し、裏面に粘着層が形成されている円盤状の台座の表面側に、前記透孔を覆う様に立設固定せしめて点灸具を構成した。【選択図】  図２
2017093832.tif 000002
【特許請求の範囲】
【請求項１】
もみがらを炭化処理した後、粉砕して粉末状にしたものにバインダーを加えて練り固め、円柱状に成形したもみがら製の炭化粉末成形体を、中央に透孔を有し、裏面に粘着層が形成されている円盤状の台座の表面側に、前記透孔を覆う様に立設固定せしめたことを特徴とする点灸具。
【発明の詳細な説明】
【技術分野】
【０００１】
この発明は、医療行為に用いる物品、詳しくは施灸の際に用いる点灸具に関する。
【背景技術】
【０００２】
経穴（つぼ）と呼ばれる特定の部位に温熱刺激を与えることにより身体の不調を改善する灸は、東洋医学の一種として古くから盛んに行われている。
【０００３】
この灸における温熱刺激は、もぐさを燃焼させる際に発生させる燃焼熱を熱源として用いることにより行うのが普通である。
【先行技術文献】
【特許文献】
【０００４】
【特許文献１】なし
【非特許文献】
【０００５】
【非特許文献１】なし
【発明の概要】
【発明が解決しようとする課題】
【０００６】
もぐさは、ヨモギの葉の裏にある繊毛を精製したものであり、よく生育したヨモギの葉を採取し、臼で挽き、篩いにかけ、陰干しする工程を繰り返して、作られるものであり、その製造には多くの手間を要する。
【０００７】
一方、都市化の影響で、もぐさに適したヨモギの生育場所は年々少なくなっており、国産のヨモギを用いたもぐさの生産は、近い将来できなくなるのではないかと危惧されている。
【０００８】
灸は、代替医療としてそのすぐれた効果が再認識されているが、上述の通り、もぐさに適したヨモギは次第に入手困難になりつつあり、しかも、もぐさ製造には多くの手間がかかるので、もぐさは年々その価格が上昇しており、手軽に施灸を行うことが出来なくなりつつある。
【０００９】
本発明者は、灸に関するこの現状に危機感を持ち、入手が次第に困難になりつつあるヨモギに替えて、他の材料を用いながら同等の効果を発揮出来る点灸具を実現すべく研究を行った結果、今回新しい点灸具を開発することに成功し、本発明としてここに提案するものでる。
【課題を解決するための手段】
【００１０】
もみがらを炭化処理した後、粉砕して粉末状にしたものにバインダーを加えて練り固め、円柱状に成形した炭化粉末成形体を、中央に透孔を有し、裏面に粘着層が形成されている円盤状の台座の表面側に、前記透孔を覆う様に立設固定せしめて点灸具を構成することにより、前記課題を解決した。
【発明の効果】
【００１１】
粘着層を利用して人体の所定の経穴（つぼ）の上に台座の裏面を貼付し、台座から上方に向かって立設されているもみがら製の炭化粉末成形体に着火して施灸を行う。着火された炭化粉末成形体は上部から燃焼を開始し、その際に発生した熱は台座の透孔を通って経穴（つぼ）に伝達され、温熱刺激によって特定部位の生理状態を変化させ、疾病の治癒に効果をもたらす。その際、着火された炭化粉末成形体は、無煙状態で燃焼するので、不快な煙りや臭いが発生することはない。
【００１２】
灸は、経穴（つぼ）への温熱刺激によって治療効果がもたらされるもので、もぐさの中に含有されている何らかの薬効成分の働きによるものではないので、もぐさと同等の温熱刺激が与えられれば、燃焼物は特にもぐさでなくても良いが、もみがらを炭化させ粉末化させたものは、熱量及び火持ちがもぐさに近く、もぐさの代替品として特に好ましい。
【００１３】
しかも、もみがらは、米の生産の際の副産物としてほとんど無尽蔵といえるほど低コストで入手可能であるので、この発明に係る点灸具は従来のもぐさを用いた点灸具に比べ、はるかに低コストで、大量かつ安定的に生産することができ、代替医療としての灸を普及させ、灸のすばらしい効果を多くの人たちに実感させることが出来るすぐれた効果を有する。
【図面の簡単な説明】
【００１４】
【図１】この発明に係る点灸具の実施例１の斜視図。
【図２】同じく、その縦断面図。
【発明を実施するための形態】
【００１５】
もみがらを炭化処理した後、粉砕して粉末状にした炭化粉末にバインダーを加えて練り固めたものをよもぎの代わりに用いて点灸具を構成した点に最大の特徴が存する。
【実施例１】
【００１６】
図１はこの発明に係る点灸具の実施例１の斜視図、図２はその縦断面図である。
【００１７】
図中１はもみがら製の炭化粉末成形体であり、籾米の最も外側にある皮の部分であるもみがらを半ば密閉した状態で高温加熱して得られた炭化物を粉末状に粉砕し、これに澱粉などのバインダーを加えて練り固め、円柱状に成形したものである。
【００１８】
一方、図中２は台座であり、紙積層体、パルプを固めたもの、合成樹脂発泡体等で形成されており、比較的厚い肉厚を有し、円盤状をなし、中央には透孔３が形成されており、裏面にはポリ酢酸ビニール、ポリビニールアルコール、その他の合成樹脂系粘着剤からなる粘着層４が形成されている。
【００１９】
そして、円柱状をなした前記もみがら製の炭化粉末成形体１が、台座２の表面側に、透孔３を覆う様に立設固定されている。
【００２０】
この実施例１は上記の通りの構成を有するものであり、粘着層４を利用して人体の所定の経穴（つぼ）の上に台座２の裏面を貼付し、台座２から上方に向かって立設されているもみがら製の炭化粉末成形体に着火して施灸を行う。着火された炭化粉末成形体は上部から燃焼を開始し、その際に発生した熱は台座２の透孔３を通って経穴（つぼ）に伝達され、温熱刺激によって特定部位の生理状態を変化させ、疾病の治癒に効果をもたらす。
【００２１】
その際、着火された炭化粉末成形体１は、無煙状態で燃焼するので、不快な煙りや臭いが発生することはない。
【００２２】
灸は、経穴（つぼ）への温熱刺激によって治療効果がもたらされるもので、もぐさの中に含有されている何らかの薬効成分の働きによるものではないので、もぐさと同等の温熱刺激が与えられれば、燃焼物は特にもぐさでなくても良いが、もみがらを炭化させ粉末化させたものは、熱量や火持ちがもぐさに近く、もぐさの代替品として特に好ましい。
【００２３】
しかも、もみがらは、米の生産の際の副産物としてほとんど無尽蔵といえるほど低コストで入手可能であるので、この実施例１に係る点灸具は従来のもぐさを用いた点灸具に比べ、はるかに低コストで、大量かつ安定的に生産することができ、代替医療としての灸を普及させ、灸のすばらしい効果を多くの人たちに実感させることが出来る。
【産業上の利用可能性】
【００２４】
もぐさを用いた点灸具に代わるものとして大いに利用可能である。
【符号の説明】
【００２５】
１．炭化粉末成形体
２．台座
３．透孔
４．粘着層
【図１】
2017093832.tif 000003
【図２】
2017093832.tif 000004
(57)【要約】【課題】  適用部位によらず、充填が容易な歯科セメント用カプセルを提供する。【解決手段】  先端が閉塞され、前記先端近傍の側壁に少なくとも１つの吐出口が設けられたノズルを有することを特徴とする歯科セメント用カプセルとする。【選択図】  図１
2017093951.tif 000002
【特許請求の範囲】
【請求項１】
先端が閉塞され、前記先端近傍の側壁に少なくとも１つの吐出口が設けられたノズルを有することを特徴とする歯科セメント用カプセル。
【発明の詳細な説明】
【技術分野】
【０００１】
本発明は歯科セメント用カプセルに関する。
【背景技術】
【０００２】
従来から歯科分野では、二成分系混合練和型の歯科セメントの容器として、歯科セメント用カプセルが広く用いられている。歯科セメント用カプセルを使用する際には、カプセルミキサー等の自動混合機を用いて二成分を混合練和した後、カプセルにアプライヤー等の充填用具を装着して、カプセル内部の歯科セメントを窩洞等の適用部位に充填できる。このため、使用の都度の各成分の計量作業が不要であり、非常に簡便に使用できることが特長である（例えば、特許文献１、２参照）。
【０００３】
しかしながら、歯科セメント用カプセルの先端のノズルの向きは固定されていることから、適用部位によってはノズルの吐出口を当該部位に向けることが困難であり、アプライヤー等の充填用具を装着した状態で手首を返さねばならず、充填しにくいという問題があった。また，最後臼歯の遠心面においては，吐出方向の関係上，直接充填することが困難であった。
【先行技術文献】
【特許文献】
【０００４】
【特許文献１】特開２００１−３４０３５６号公報
【特許文献２】特開２００２−１９１６２２号公報
【発明の開示】
【発明が解決しようとする課題】
【０００５】
そこで本発明は、適用部位によらず、充填が容易な歯科セメント用カプセルを提供することを課題とする。
【課題を解決するための手段】
【０００６】
本発明者等は鋭意検討し、上記課題を解決する方法を見出し、本発明を完成させた。即ち本発明は、先端が閉塞され、前記先端近傍の側壁に少なくとも１つの吐出口が設けられたノズルを有することを特徴とする歯科セメント用カプセルである。
【発明の効果】
【０００７】
本発明に係る歯科セメント用カプセルは、適用部位によらず、充填が容易である。
【図面の簡単な説明】
【０００８】
【図１】本発明に係る歯科セメント用カプセルの一実施形態を示す説明用断面図
【図２】本発明に係る歯科セメント用カプセルの使用例を示す図
【発明を実施するための形態】
【０００９】
以下、図面を参照して本発明の一実施形態に係る歯科セメント用カプセルについて詳細に説明するが、本発明は本実施形態に限定されない。図１は本発明に係る歯科セメント用カプセルの一実施形態を示す説明用断面図である。図２は本発明に係る歯科セメント用カプセルの使用例を示す図である。
【００１０】
歯科セメント用カプセル１０はノズル１、シリンダ２、及びピストン３を有して構成される。シリンダ２及びピストン３により２つの中空部が形成され、それぞれの中空部に歯科セメントとなる材料（例えば、粉体成分と液体成分）を収納することが可能である。また、ノズル１は、シリンダ２のピストン３が装着された側と反対側に接続して設けられている。なお、ノズル１とシリンダ２は一体に成型されていてもよく、別部品の組み合わせにより構成されていてもよい。
【００１１】
ノズル１は細長い中空状であり、中空部が内容物の流路となる。本発明において、ノズル１の先端は閉塞されており、前記先端近傍の側壁に少なくとも一つの吐出口1aが設けられている。即ち、吐出口1aは流路の延長線上には設けられず、流路の延長線上ではないノズルの側壁に設けられている。先端近傍の範囲としては、先端より２ｍｍ以内が好ましい。
【００１２】
吐出口1aの形状は、任意の好適な形状とすることができる。好ましくは、円状又は楕円状である。
【００１３】
吐出口1aの数は１つであることが好ましいが、２つ以上有していてもよい。
【００１４】
吐出口1aの直径は、任意の大きさとすることができる。好ましくは、１ｍｍ以上２．５ｍｍ以下である。より好ましくは、１．５ｍｍ以上２ｍｍ以下である。
【００１５】
ノズル長1bは、任意の長さとすることができる。好ましくは、１０ｍｍ以上３０ｍｍ以下である。より好ましくは、１５ｍｍ以上２０ｍｍ以下である。
【００１６】
ノズル１の形状は、湾曲していても良いし、直線状でも良い。好ましくは、歯科セメント用材料を適用部位に充填し易いように先細で湾曲している形状である。
【００１７】
ノズル１の素材は、従来から用いられている樹脂材料が使用可能である。樹脂材料としては、ポリエチレン、ポリアセタール、ポリプロピレン、ポリアミド、塩化ビニル樹脂， ナイロン、フェノール樹脂、ポリウレタン、飽和ポリエステル樹脂、メラミン樹脂、ポリ塩化ビニリデン、不飽和ポリエステル樹脂、ポリブタジエン、ポリスチレン、ＥＶＡ （エチレン−酢酸ビニル共重合体）樹脂、スチロール樹脂、ポリメチルペンテン、メタクリルスチレン、ＡＢＳ（アクリロニトリル−ブタジエン−スチレン共重合体）樹脂、ポリカーボネート等が例示される。
【００１８】
シリンダ２は、その中空部に例えば粉体成分を収納可能である。また、その素材にはノズル１と同様の素材を用いることが可能であり、粉体成分の特性を損なわない樹脂で構成されていることが好ましい。
【００１９】
ピストン３は、シリンダ２との間に中空部を形成することができ、該中空部に例えば液体成分を収納可能である。また、その素材にはノズル１と同様の素材を用いることが可能であり、液体成分の特性を損なわない樹脂で構成されていることが好ましい。
【００２０】
本発明に係る歯科セメント用カプセルは、先端が閉塞され、前記先端近傍の側壁に少なくとも１つの吐出口が設けられたノズルを有するので、図２に示したような上顎臼歯の舌側面においても、手首を返さずに、ノズルを挿し込み、ノズル側面の吐出口から歯科セメントを充填できる。また、吐出口の設計によっては、最後臼歯の遠心面においても、ノズル側面の吐出口から歯科セメントを直接充填することが可能となる。
【００２１】
本発明に係る歯科セメント用カプセルを使用する際には、ピストン３を指等で押し込むことにより隔壁を破壊し、シリンダ２及びピストン３により形成された２つの中空部内に収納された歯科セメントとなる材料（粉体成分と液体成分）を接触させる操作、カプセルミキサーを用いて混合練和することにより歯科セメントを調製する操作、歯科セメント用カプセルをアプライヤーに装着して歯科セメントを押し出す操作によって、歯科セメントを窩洞等の適用部位に直接充填することができる。
【符号の説明】
【００２２】
１０  歯科セメント用カプセル
１    ノズル
1a  吐出口
1b  ノズル長
２    シリンダ
３    ピストン
【図１】
2017093951.tif 000003
【図２】
2017093951.tif 000004
(57)【要約】【課題】ニキビの傷口に塗り薬を塗り一般的な絆創膏を貼るとどうしても、隙間ができてしまう（図２、Ａ）参照、隙間があることで、塗り薬が直ぐ渇き、頻繁に、患部に薬を塗らなければならず面倒であり、頻繁に塗らないと治りが遅い欠点がある。それにニキビの先端患部だけが触り、擦れて痛いことが欠点である、これらの悩みを解決するのが、課題である【解決手段】基材シートに凹凸（おうとつ）を付け、凹凸の内側には、窪みを付けた（やわらかい綿素材）を入れ、ニキビ患部が、やわらかい綿素材に密着しやすく、隙間が生じないようにする事で、塗り薬が患部全体に長い時間浸透し、頻繁に塗り薬を塗らなくて済むようになり、患部が擦れにくくなる絆創膏を提供することである【選択図】図１
2017093482.tif 000002
【特許請求の範囲】
【請求項１】
１、基材シートに凹凸（おうとつ）を付け、凹凸の内側には、窪みを付けた（やわらかい綿素材）を入れ、ニキビ患部が、やわらかい綿素材に密着しやすく、隙間が生じないようにする事を特徴とするニキビ専用絆創膏
【請求項２】
窪みのあるやわらかい綿素材が、凸患部と密着しやすいようにすることで、塗り薬が凸患部全体に行き渡り、かつ塗り薬が渇きにくくする事が、特徴とする絆創膏
【発明の詳細な説明】
【発明の概要】
【発明が解決しようとする課題】
【０００１】
ニキビの傷口に塗り薬を塗り一般的な絆創膏を貼るとどうしても、隙間ができてしまう（図２、Ａ）参照、隙間があることで、塗り薬が直ぐ渇き、頻繁に、患部に薬を塗らなければならず面倒であり、頻繁に塗らないと治りが遅い欠点がある。それにニキビの先端患部だけが触り、擦れて痛いことが欠点である。
本発明はこれらの欠点を解決するのが目的に開発されたものである。そこで、隙間ができず、塗り薬が患部全体に長い時間浸透し、頻繁に塗り薬を塗らなくて済むようにすること、患部が擦れにくくすることを期待できる絆創膏を提供することにある。
【課題を解決するための手段】
【０００２】
絆創膏に、ニキビ程度の大きさの突起物を付け、中には柔らかい浸透しやすい綿素材を入れ、ニキビ全体を包むことができるように開発しました。
【発明の効果】
【０００３】
本発明の絆創膏は、塗り薬を長く浸透させることができるため、頻繁に塗り薬を塗る手間が省けて、寝る前などの治療には効果が期待できる、ニキビ全体を柔らかい綿素材で包まれるため、患部が擦れて痛いこともなく、不快感が無くなる効果も期待できる
【図面の簡単な説明】
【０００４】
【図１】図１は本発明の実施例にかかる平面図、断面図である。図１aは、四角型の絆創膏の真ん中に、ニキビ程度の大きさの突起物（おうとつ）がある姿図である。図１ｂは絆創膏の断面図を表し、図１ｃは裏面を表す
【図２】図2d,eは図１a,b同様に絆創膏の表面、裏面を表し多少立体的姿図である、図2ｆはニキビ患部に絆創膏を貼った断面図である、図2Aはニキビ患部に一般的絆創膏を貼った断面である
【発明を実施するための形態】
【０００５】
本発明の実施例を図面に基づいて説明すると、まず基材シートに凹凸（おうとつ）を付け、凹凸の内側には、窪みを付けた（やわらかい綿素材）を入れ、ニキビ患部が、やわらかい綿素材に密着しやすく、隙間が生じないようにする事、やわらかい綿素材の周りにガーゼを貼り、あとは貼着部分を付ける
【産業上の利用可能性】
【０００６】
現在ニキビ患者数は年々増えつづけ、これもストレス社会が原因と思われますが、ニキビ患者が数多く困ってます、現在の塗り薬の技術はかなり高度になりましたが、直ぐには治らず２〜５日ぐらい掛かってしまいます、そこで１日も早く治りが早まって、痛みからの解放されれば、利用者は増えると確信しております
【符号の説明】
【０００７】
1、基材シート
2、空気穴
3、やわらかい綿素材
4、ガーゼ
5、粘着部
6、傷口患部
7、隙間
8、凹凸（おうとつ）部分
9,窪み（凹部分）
【図１】
2017093482.tif 000003
【図２】
2017093482.tif 000004
(57)【要約】      （修正有）【課題】フォノカートリッジのカンチレバーが発生する余分な振動を抑える事ができる方法を提供する。【解決手段】フォノカートリッジ４のカンチレバー１を、針先位置で衝撃中心が成り立つように針の先前方向に延長し、延長部分３を設けた。【選択図】図１
2017139041.tif 000002
【特許請求の範囲】
【請求項１】
フォノカートリッジのカンチレバーを、針先位置で衝撃中心が成り立つように針の先前方向に延長し、延長部分を設けた、衝撃中心カンチレバー
【発明の詳細な説明】
【技術分野】
【０００１】本発明は、フォノカートリッジのカンチレバーに関するものである。
【背景技術】
【０００２】従来、カンチレバーの長さは針の所までで、その先まで延長す必要が無いのが通常である。
【先行技術文献】
【特許文献】
【０００３】
【特許文献１】
【非特許文献１】
【発明の概要】
【発明が解決しようとする課題】
【０００４】フォノカートリッジのカンチレバーは、レコード音溝の振幅を針先で受け発電関連機構に導く役目であるが、その伝達過程で、カンチレバー自体が音溝振動に付随して余分な振動が発生し音溝が正確に伝わらず、その余分な振動も伝わってしまう。
【課題を解決するための手段】
【０００５】フォノカートリッジのカンチレバー（１）を、針先位置で衝撃中心が成り立たつ位置になるまで延長し、延長部分（３）を設けた。これは、カンチレバーに存在する、衝撃中心を成り立たせる位置に、針（２）を設けた事になり、この位置でレコード音溝の振動を受ける事により、カンチレバーの根元、及び全体に及んでも余分な振動を与えず抑えて、従来のカンチレバーの余分な振動に関する問題点を改善した。
この衝撃中心は、特に棒状の物体でよく確認出来、必ず存在ものである。
一般的事象でこの衝撃中心を考察すると、本考案の針位置は、野球バットなどの「芯」に相当するものであり、先端より下がった、「芯」の位置で球を打つ事で、バット自体の振動が感じられず、また、バットが硬く感じられ、飛距離が長なる事がよく知られている。
この場合の球の位置が、本発明の針の位置に相当し、これらの事象に即して、同様に本発明のカンチレバーでは、余分な振動が抑えられ、また、針先からの本来必要なレコード音溝の過渡的振動入力に対して、より正確な振動伝達が可能となる。
反面、カンチレバーの先端に針が位置していた場合は、カンチレバーに余分な振動が多く発生する事になる。同様にして野球バットの例で考察しても、先端で球を打った時は、バットの振動が多く手に伝わり、飛距離も短い事からも理解できる。
その他、テニスなどのスイートスポットとも同じ事で、同様にしてそのスポット部分でより良い結果が得られている。
また、この延長部分については先端に質量（６）を追加する事で、延長部分（３）の長さを調節する事も出来る。
【発明の効果】
【０００６】針先（２）をカンチレバーの衝撃中心が成り立つ位置に設置する事で、余分な振動が抑えられ、高域側の音のピ−クが減少し、また振動の伝達が改善される事で、音に対して明確化、立体感の向上など確認する事ができた。
この衝撃中心が成り立つ位置の範囲は非常に狭いが、多少前後ずれがあっても、効果があることも確認できた。
【図面の簡単な説明】
【０００７】
【図１】本発明のカンチレバーを針先前方まで延長された事を示す側面図。
【図２】一般的なフォノカートリッジのカンチレバーの一例を示す側面図。
【図３】本発明の延長部分の先端に質量を追加した場合の実施例
【発明を実施するための形態】
【０００８】以下本発明の実施の形態について説明する。
カンチレバー（１）を、針（２）が衝撃中心を成り立たせる位置になるまで延長し、延長部分（３）を形成する。
【符号の説明】
【０００９】１カンチレバー
２針チップ
３カンチレバーの延長部分
４フォノカートリッジ本体
５出力端子
６追加質量
【図１】
2017139041.tif 000003
【図２】
2017139041.tif 000004
【図３】
2017139041.tif 000005
(57)【要約】      （修正有）【課題】腱鞘炎を発症した親指付け根関節の固定を目的とし、着脱が容易な関節固定用器具を提供する。【解決手段】馬の鞍上の固形器具であり、内側面である面に粘着式ゲル等を添付する。面を人差し指と親指の付け根に装着することで、親指付け根の関節を固定することを特徴とする、関節固定器具１。【選択図】図４
2017080354.tif 000002
【特許請求の範囲】
【請求項１】
馬の鞍上の固形物で、内側面に粘着式ゲル化剤等を添付し、人差し指と親指の間に挟みこむように装着し、親指付け根の関節を固定することを特徴とした、関節固定用器具。
【発明の詳細な説明】
【技術分野】
【０００１】  本発明は、腱鞘炎を発症した親指付け根の関節を固定し、安静を保つサポーターに関するものである。
【背景技術】
【０００２】  親指付け根の腱鞘炎の治療には、患部を安静に保つことが不可欠である。しかし、親指は日常生活や仕事等で使わざるを得ない場面が多く、安静を保つことができずに治癒が長引くという問題があった。【０００３】  このような問題を解決するために、親指を固定するサポーターが開示されている。（例えば、特許文献１、２）。【０００４】
【先行技術文献】
【特許文献】
【０００５】
【特許文献１】特開２０１２−０５７２８６
【特許文献２】特開２００５−７４０７８
【発明の概要】
【発明が解決しようとする課題】
【０００６】  しかし、上記のような従来のサポーターは、その構造や使用する素材のため、保持固定が煩雑、または保持固定機能が十分ではないという問題があった。【０００７】  例えば、上記特許文献１記載の作業用手袋では、複数の部材から構成され、着脱が煩雑で煩わしい。【０００８】  また、上記特許文献２記載の関節サポーター用ステーでは、生地により親指の付け根の関節を固定する方式であるため、保持固定機能が十分でないという問題があった。【０００９】    上記事情に鑑み、本発明は、親指付け根の関節の保持固定機能および簡易な着脱機能を持つ親指腱鞘炎用関節固定器具を提供することを目的とする。
【課題を解決するための手段】
【００１０】  本発明は、馬の鞍形状の固形器具であり、器具の内側の面に粘着式のゲル等を添付して成る。器具粘着面を人差し指と親指の間に装着し、親指付け根の関節を固定することを特徴とする関節固定用器具。
【発明の効果】
【００１１】  本発明の関節固定用器具の装着により、人差し指の第三関節に対する親指第二関節の位置が固定される。これにより、必然的に親指第三関節の動きが制限され、安静を保つことができる。【００１２】  さらに、粘着式ゲル等で装着する方式であるので、手袋やベルトを使用する形式のサポーターと比較すると着脱が容易である。
煩わしさをる。【００１３】  そして、手首や手のひらを覆う部材がないため、大幅に煩わしさを軽減することができる。
【図面の簡単な説明】
【００１４】
【図１】本発明の関節固定器具の斜視図である。
【図２】本発明の関節固定器具の側面図である。
【図３】本発明の関節固定器具の正面図である。
【図４】関節固定器具を手に装着した状態を示す斜視図である。
【発明を実施するための形態】
【００１５】  次に、本発明を実施するための形態について詳細に説明する。
【００１６】  本実施形態の関節固定器具は、図１〜３に示したプラスチックなどを素材とした馬の鞍状の器具であり、内面である面（ａ）には粘着式のゲル等が添付されている。
【００１７】  図４は、関節固定器具を装着した状態である。人差し指と親指の間へ挟み込むように装着する。
【００１８】  次に本実施形態の関節固定器具の作用について説明する。
図４に示すように関節固定器具を装着すると、面（ａ）に添付された粘着式ゲルにより、装着箇所に固定される。これにより、人差し指の第三関節に対する親指第二関節の位置が固定され、必然的に親指第三関節の動きが制限され、安静を保つことができる。
【産業上の利用可能性】
【００１９】
【符号の説明】
【００２０】    １  関節固定器具
ａ  本発明の関節固定器具の内側の面
ｂ  本発明の関節固定器具の外側の面
【図１】
2017080354.tif 000003
【図２】
2017080354.tif 000004
【図３】
2017080354.tif 000005
【図４】
2017080354.tif 000006
(57)【要約】【課題】口腔内の負担を最小限に考えたシンプルな器具で、就寝中でも舌が断続的に動くようにし、気道を塞がれないようにすること。【解決手段】舌先や口腔底に異物が滞っていると、就寝中でも舌はそれと断続的に絡む傾向になる。本発明は、細くて強いナイロン糸で溶着した小さなシリコーンの球体を口腔内に取り入れ、下歯の隙間を通して下唇側でシリコーンのタグで留めるようにした極めてシンプルないびき防止器具。舌が小さな球体を上下左右にじゃらして絡み、あるいは口腔底に包み込むことで気道が塞がれるのを防ぎ、いびき音を軽減させる。【選択図】図１
2017080353.tif 000002
【特許請求の範囲】
【請求項１】
舌に絡ませる小さな球体と留め具になるタグを細くて強い糸でつなぎ、下歯の隙間にその糸を上から差し込むように通して、下唇側にタグを、口腔内に球体を取り入れたいびき防止器具。
【発明の詳細な説明】
【技術分野】
【０００１】  本発明は、就寝中のいびきに悩む人のいびき防止器具に関するものである。
【背景技術】
【０００２】  いびきに悩む人は多く、しかも周りの人々を巻き込んでいるのが実情。その防止に関する装置や器具には、根本的な治療法もあれば、対処療法的なものなど多種多様である。
【先行技術文献】
【特許文献】
【０００３】
【特許文献１】特許４４８２２０７
【特許文献２】特許４４８２３０２
【特許文献３】特表２００５−５０１６５７
【特許文献４】特許５３６１９９１
【発明の概要】
【発明が解決しようとする課題】
【０００４】  いびきの原因の一つは、就寝中に舌の動きが休止して気道を塞ぐために発生すると考えられている。対処法として、下顎を前面にせり出すような工夫や、舌を断続的に動かすことも有効とされているが、その装置や器具の多くは身体的に負担を伴い、却って安眠を妨げるものもあり、簡単で気軽に利用できるものが少ない。
本発明は、以上の問題点を解決するためのものである。
【課題を解決するための手段】
【０００５】  就寝中でも、舌先や口腔底に異物が滞っている状態をつくるために、小さなシリコーンの球体を釣り糸のハリスのような細くて強いナイロン糸で溶着し、糸を下歯の隙間を通して下唇側はタグで留め、口腔内に球体を取り入れたものが本発明である。小さな球体に舌を断続的に絡ませることで、気道が塞がれるのを防止しようというのが狙い。
以上の構成よりなるいびき防止器具である。
【発明の効果】
【０００６】  シリコーン球体は猫じゃらしならぬ舌じゃらしを想定したもの。いびき防止器具によって快適な睡眠の妨げになっては本末転倒で、簡単で効果が期待できるものが重要になる。デリケートな口腔内は、何よりも負担が少ないように配慮すべきで、細くて強いナイロン糸と小さなシリコーン球体というシンプルな構造にしたのが特徴である。
【図面の簡単な説明】
【０００７】
【図１】本発明の概略図
【図２】本発明の使用状態を示す断面図
【発明を実施するための形態】
【０００８】  以下、本発明の実態の形態を説明する。
（イ）舌（１０）に絡ませる小さなシリコーンの球体（３）と留め具になる円盤状のシリコーンのタグ（１）を、細くて強いナイロンの糸（２）で溶着し、つないだもの。
（ロ）シリコーン球体の直径は約８〜１０ｍｍ。ナイロン糸の太さは約０．１５ｍｍで、球体とタグの間の糸の長さは１０〜１３ｍｍほど。シリコーンのタグは厚さ約２ｍｍ、縦横約４〜６ｍｍの楕円形の円盤で、側面中央でナイロン糸を溶着している。
本発明は以上のような構造である。
本発明を使用するときは、シリコーンのタグを指で挟み持ち、下歯（６）の隙間にナイロン糸を上から差し込むように通して、糸を歯の根元まで落とし、タグは下唇（５）側に、球体を口腔底（８）に垂らす。球体は口腔内で上下左右に自由に動く許容性をもち、断続的に舌が絡み、気道（９）を保つという想定だが、装着したら球体を舌で適当な位置に定着させ、しばらく静かに落ち着かせて就寝に入るのが良い。なお、球体の素材や大きさ、ナイロン糸の長さは、口腔内の個人差もあり、選択の幅を持たせたい。
【符号の説明】
【０００９】１タグ、２糸、３球体、４上唇、５下唇、６下歯、７上歯、８口腔底、９気道、１０舌
【図１】
2017080353.tif 000003
【図２】
2017080353.tif 000004
(57)【要約】      （修正有）【課題】適切なスイング幅を得ることが可能な揺り椅子の提供。【解決手段】座面の下部にサブフレーム４を取付け、このサブフレーム４を用いて、金属パイプで構成された椅子本体のフレーム１に４本の吊り材ワイヤーロープ３により宙づりの状態で取付る。サブフレーム４の両端が座面底から適切な距離を得ることができるため吊り材の長さ調節が可能となる。【選択図】図２
2017080366.tif 000002
【特許請求の範囲】
【請求項１】
座面に吊り材の長さ調節可能なサブフ−ムを有することを特徴とする揺り椅子．
【発明の詳細な説明】
【技術分野】
【０００１】    本発明は揺り椅子に於て主フレ−ムに座面を吊る方法に関するものである．
【背景技術】
【０００２】  従来の揺り椅子は主フレ−ムと座面とが直接吊り材（ワイヤ−ロ−プ，ロッド，パイプ又はフラットバ−等）で直接つながる構造で構成されている．【０００３】  しかしながら，従来の座面に吊り材の一端を直接取り付ける方法は，座面のスイングを幅を一定に得ようとすると，座面と主フレ−ムの肘掛け部の高さのバランスが崩れ座り心地に問題が生じていた．
【先行技術文献】
【特許文献】
【特許文献１】  特開２００６−３４１０４２
【発明の概要】
【発明が解決しようとする課題】
【０００４】  本発明は，以上のような従来の欠点に鑑み，吊り材の長さを自由に調節可能なサブフレ−ムをを座面に取付ける構造を提供することを目的としている．
【課題を解決するための手段】
【０００５】  上記目的を達成するために，本発明は座面に吊り材の長さ調節可能なサブフレ−ムを有する揺り椅子を構成している．
【発明の効果】
【０００６】  上述したように本発明にあっては次に列挙する効果が得られる．座面に吊り材の長さ調節可能なサブフレ−ムを有している為，座面と肘掛の適正な高さを得ることができる．又快適なスイング幅も得ることができ，安全性，生産性，且つデザイン面からも有用な物となった．
【図面の簡単な説明】
【０００７】
【図１】本発明を実施するための最良の形態の揺り椅子の全体斜視図である
【図２】本発明の実施例に係わる正面部分図である．
【発明を実施するための形態】
以下，本発明の実施の形態を図１，図２に基ついて説明する．
【０００８】  図１は揺り椅子の全体を示す斜視図であって，椅子本体のフレ−ム１は金属パイプで構成されサブフレ−ム４が取り付けられた座面２は４本の吊り材ワイヤ−ロ−プ３により本体フレ−ム１に宙ずりの状態で取り付けられる．座面２は本体フレ−ム１に対し自由に遊動することができる．
【０００９】  図２は座面２へサブフレ−ム４が取り付けられた，正面から見た部分図である．サブフレ−ム４に吊り材３の一端が取り付けられ，その上端は主フレ−ム１に固定されている．この図から判るように，サブフレ−ムの両端が座面底から適切な距離を得る事ができる為吊り材の長さ調節が可能となっている．
【産業上の利用可能性】
【００１１】  本発明は，座面に吊り材の長さ調節可能なサブフレ−ムを有する揺り椅子を製造する産業で利用される．
【符号の説明】
【００１２】  １    主フレ−ム
２    座面
３    吊り材
４    サブフレ−ム
【図１】
2017080366.tif 000003
【図２】
2017080366.tif 000004
(57)【要約】      （修正有）【課題】住宅やマンションなどのバルコニーに布団など寝具をバルコニー手摺壁に直接掛けて干す場合、布団通風乾燥汚れ防止クリップを提供する。【解決手段】布団通風乾燥汚れ防止隙間クリップ本体（Ａ）に一体となったバルコニー笠木部引っ掛けフック（Ｃ）を設け、布団通風乾燥汚れ防止隙間クリップ本体（Ａ）に一体となった布団通風乾燥汚れ防止隙間クリップ球形先端（Ｂ）を設け、（Ｂ）に布団寝具挟み通し穴（Ｄ）を設け、（Ｄ）に布団寝具落下防止寝具挟みを設け、バルコニー笠木引っ掛けフック（Ｃ）先端にバルコニー引っ掛けフック外壁傷防止ゴム（Ｆ）を設けた布団通風乾燥汚れ防止隙間クリップ。【選択図】図１
2017080363.tif 000002
【特許請求の範囲】
【請求項１】
布団通風乾燥汚れ防止隙間クリップ本体（Ａ）と一体になったバルコニー笠木部引っ掛けフック（Ｃ）を設け、布団通風乾燥汚れ防止隙間クリップ本体（Ａ）に一体となった布団通風乾燥汚れ防止隙間クリップ球形先端（Ｂ）を設け、（Ｂ）に布団寝具挟み通し穴（Ｄ）を設け、並びに（Ｄ）に布団寝具落下防止寝具挟みを設け、バルコニー笠木引っ掛けフック（Ｃ）先端にバルコニー引っ掛けフック外壁傷防止ゴム（Ｆ）を設ける。以上の構成よりなるバルコニー布団通風乾燥汚れ防止クリップ。
【発明の詳細な説明】
【技術分野】
【０００１】この発明は、バルコニー布団通風乾燥汚れ防止隙間クリップに関するものである。
【背景技術】
【０００２】従来、布団や毛布シーツなど寝具を住宅やマンションのバルコニー手摺壁に直接干す場合、バルコニー手摺壁と布団や毛布、シーツ等寝具との間に空気の通風の隙間が保たれず、完璧に干すことが出来かった、またバルコニー外壁に直接天日干ししている布団や毛布及びシーツ等寝具がバルコニー外壁に接触している為、バルコニー外壁に付着している水滴や湿気及びほこりなどを布団や毛布及びシーツ等が吸収し、寝具を汚し、湿気を吸収してしまうことになっていたため、完璧に天日干しすることが出来なかった。
【発明の開示】
【発明が解決しようとする課題】
【０００３】これは、次のような欠点があった。住宅やマンションのバルコニー手摺壁に直接掛けて布団や毛布、シーツ等寝具などを干す場合、一般的には布団や毛布、シーツなどをバルコニー外壁に接触していて干す為、外壁に接触した布団や毛布シーツ等が外壁に触れて湿気や水滴などを吸収してしまうことがあり寝具を完全に干すことはできない。結果布団や毛布など寝具が満足のいく乾燥ができず、また布団や毛布、シーツなどが外壁と密着している為、外壁に付着した汚れなどが布団や毛布、シーツなど寝具に接触し結果、寝具を汚すことになる。本発明は以上の欠点を無くす為になされたものである。
【課題を解決するための手段】
【０００４】布団通風乾燥汚れ防止隙間クリップ本体（Ａ）と一体になったバルコニー笠木部引っ掛けフック（Ｃ）を設け、布団通風乾燥汚れ防止隙間クリップ本体（Ａ）に一体となった布団通風乾燥汚れ防止隙間クリップ球形先端（Ｂ）を設け、（Ｂ）に布団寝具挟み通し穴（Ｄ）を設け、（Ｄ）に布団寝具落下防止寝具挟み（Ｅ）を設け、バルコニー笠木引っ掛けフック（Ｃ）先端にバルコニー引っ掛けフック外壁傷防止ゴム（Ｆ）を設けたもので、バルコニー手摺壁に干す時は、布団や毛布、シーツなどの寝具の大きさに合わせ、バルコニー笠木端部及び中間に設置した、布団通風乾燥汚れ防止隙間クリップ本体（Ａ）が空間を保ち、布団落下防止寝具挟み（Ｅ）で布団やシーツなどの寝具を挟むので布団等寝具は風によりめくれて下へ落下しない構造である。外壁と布団等の寝具との間に適度な通風の空間ができるので外壁に触れず風通し良く天日干しすることが可能である。本発明は、以上の構成よりなるバルコニー布団通風乾燥汚れ防止隙間クリップである。
【発明の効果】
【０００５】住宅やマンションなどのバルコニーの手摺壁に布団など寝具等を一般的には外壁に接触していて干す為、布団等寝具は外壁に触れて水滴や湿気が天日干している寝具などに吸収し完璧に干すことはできなかった、又外壁に付着した汚れやほこりなども寝具等に付着し布団やシーツを汚し清潔に干すことが保たれなかった。布団通風乾燥汚れ防止隙間クリップ（Ａ）本体を既存バルコニー笠木（Ｇ）にバルコニー笠木部引っ掛けフック（Ｃ）を広げながら笠木手摺と外壁に引っ掛け固定して、布団や寝具を天日干しすれば布団通風乾燥汚れ防止隙間クリップ本体（Ａ）に一体となった布団通風乾燥汚れ防止隙間クリップ球形先端（Ｂ）に布団や寝具が当たり外壁と布団やシーツなど寝具等の間に適度な通風の空間保たれ、それにより風通しも良くなり、又外壁に付着した水滴や湿気及び汚れや、ほこりなども付着しないで清潔な環境で布団やシーツ等寝具などを天日干しすることが可能である。
【発明を実施する為の最良の形態】
【００６】  以下本発明を実施する為に最良の形態について説明する。布団通風乾燥汚れ防止隙間クリップ本体（Ａ）に一体となったバルコニー笠木部引っ掛けフック（Ｃ）を設け、布団通風乾燥汚れ防止隙間クリップ本体（Ａ）に一体となった布団通風乾燥汚れ防止隙間クリップ球形先端（Ｂ）を設け、（Ｂ）に布団寝具挟み通し穴（Ｄ）を設け、（Ｄ）に布団寝具落下防止寝具挟みを設け、バルコニー笠木引っ掛けフック（Ｃ）先端にバルコニー引っ掛けフック外壁傷防止ゴム（Ｆ）を設ける。住宅やマンションなどのバルコニー手摺壁に布団など寝具を天日干しで乾燥する場合は、布団やシーツなどの寝具の大きさに合わせ、バルコニー笠木端部及び中間など状況に応じて設置した、布団通風乾燥汚れ防止隙間クリップ本体（Ａ）が通風及び汚れ防止の適度な空間を保ち、布団落下防止寝具挟み（Ｅ）で布団やシーツなどの寝具を挟むので布団等寝具は風によりめくれて下へ落下しない構造である。今迄は布団やシーツ等寝具はバルコニー外壁に触れて水滴や湿気が天日干している寝具などに吸収し完璧に干すことはできなかった、又外壁に付着した汚れやほこりなども寝具等に付着し布団やシーツを汚し清潔な環境で干すことが保たれなかった。布団通風乾燥汚れ防止隙間クリップを既存アルミ笠木（Ｇ）にバルコニー笠木部引っ掛けフック（Ｃ）を上に広げながら外壁に引っ掛け固定して、布団や寝具を天日干しすれば布団通風乾燥汚れ防止隙間クリップ本体（Ａ）に一体となった布団通風乾燥汚れ防止隙間クリップ球形先端（Ｂ）に布団や寝具が当たり外壁と布団や寝具等の間に適度な空間保たれ、それにより風通しも良くなり、又外壁に付着した水滴や湿気及び汚れやほこりなども付着しないで清潔な環境で布団やシーツなど寝具を天日干しすることが出来る。
【図面の簡単な説明】
【０００７】
【図１】斜視図  断面詳細図
【図２】設置平面図
【図３】平面図  側面図  正面図
【符号の説明】
【０００８】（Ａ）布団通風乾燥汚れ防止隙間クリップ本体
（Ｂ）布団通風乾燥汚れ防止隙間クリップ球形先端
（Ｃ）バルコニー笠木部引っ掛けフック
（Ｄ）布団挟み寝具固定通し穴
（Ｅ）布団落下防止寝具挟み
（Ｆ）バルコニー笠木引っ掛けフック外壁傷防止ゴム
（Ｘ）バルコニー外壁からの布団通風汚れ防止空間
（Ｇ）既存バルコニーアルミ笠木
（Ｈ）既存バルコニーアルミ手摺棒
（Ｗ）既存バルコニー手摺壁
【図１】
2017080363.tif 000003
【図２】
2017080363.tif 000004
【図３】
2017080363.tif 000005